(57)【要約】【課題】電池接触接片の生産効率、及び保管管理効率を高め、かつ電池収容室への組立性の向上を図る電池接触接片の組立方法を提供する。【解決手段】電池の正極と接触する正極接片９と、これと連なり一体的に形成され、上記電池の負極と接触する負極接片８とからなる電池接触接片を電子機器１０に一体に組み込み、その後、上記正極接片９と上記負極接片８との連結部４を切断することにより正極用接片９と負極用接片８とを組立てる。また、電池の一方の電極と接触する第１の電極接片と、これと連なり一体的に形成され、上記電池とは異なる別の電池の一方の電極と接触する第２の電極接片とからなる電池接触接片を電子機器に一体に組み込み、その後、上記第１の電極接片と上記第２の電極接片との間を切断することを特徴とする。【選択図】　図４
2004071236.tif 000002
【特許請求の範囲】
【請求項１】
電池の正極と接触する正極接片と、これと連なり一体的に形成され、上記電池の負極と接触する負極接片とからなる電池接触接片を、電子機器に一体に組み込み、その後、上記正極接片と上記負極接片との間を切断することを特徴とする電池接触接片の組立方法。
【請求項２】
上記切断前に、上記電子機器に組み付けられている電気基板に、上記電池接触接片を接続することを特徴とする請求項１に記載の電池接触接片の組立方法。
【請求項３】
上記切断前に、上記電子機器に組み付けられる電気基板に、上記電池接触接片を接続することを特徴とする請求項１に記載の電池接触接片の組立方法。
【請求項４】
上記切断後に、上記電子機器に組み付けられている電気基板に、上記電池接触接片を接続することを特徴とする請求項１に記載の電池接触接片の組立方法。
【請求項５】
上記切断後に、上記電子機器に組み付けられる電気基板に、上記電池接触接片を接続することを特徴とする請求項１に記載の電池接触接片の組立方法。
【請求項６】
電池の一方の電極と接触する第１の電極接片と、これに連なって一体的に形成され、上記電池とは異なる別の電池の一方の電極と接触する第２の電極接片とからなる電池接触接片を電子機器に一体に組み込み、その後、上記第１の電極接片と上記第２の電極接片との間を切断することを特徴とする電池接触接片の組立方法。
【請求項７】
上記切断前に、上記電子機器に組み付けられている電気基板に、上記電池接触接片を接続することを特徴とする請求項６に記載の電池接触接片の組立方法。
【請求項８】
上記切断前に、上記電子機器に組み付けられる電気基板に、上記電池接触接片を接続することを特徴とする請求項６に記載の電池接触接片の組立方法。
【請求項９】
上記切断後に、上記電子機器に組み付けられている電気基板に、上記電池接触接片を接続することを特徴とする請求項６に記載の電池接触接片の組立方法。
【請求項１０】
上記切断後に、上記電子機器に組み付けられる電気基板に、上記電池接触接片を接続することを特徴とする請求項６に記載の電池接触接片の組立方法。
【発明の詳細な説明】
【０００１】
【発明の属する技術分野】
本発明は、電池接触接片の組立方法、詳しくは、正極用接片、負極用接片を一体に形成した電池接触接片を、電池収容室に取り付ける際の電池接触接片の組立方法に関する。
【０００２】
【従来の技術】
一般に、電池を電源として駆動させるカメラ等の電子機器においては、電子機器の筐体内に配設された電池収容室に、電池の正極と接触するための正極用接片、及び電池の負極と接触するための負極用接片がそれぞれ分離して配置されており、これら正極用接片、及び負極用接片が電池収容室に収納された電池に接触し、同電池の電力を電子機器に供給するようになっている。
【０００３】
このような電池接触接片の製造方法としては、従来、正極用接片と、負極用接片とをそれぞれ別個に製造し、これらを一対として電池収容室に組み付ける方法が知られている。
【０００４】
【発明が解決しようとする課題】
ところが、上記電池接触接片の製造方法は、正極用接片と、負極用接片とを別個に製造し、これらを一対として電池収容室に組み付けるため、接片の製造工程および電池収容室への組付工程に非常に多くの工程がかかってしまい、更に、その保管管理にも手間がかかり、生産効率が悪くなっているといった問題があった。
【０００５】
本発明の目的は、上記事情に鑑みてなされたものであり、電池接触接片の生産効率、及び保管管理効率を高め、かつ電池収容室への組立性を向上させることができる電池接触接片の組立方法を提供するにある。
【０００６】
【課題を解決するための手段、及び作用】
上記の目的を達成するために本発明による電池接触接片の組立方法は、電池の正極と接触する正極接片と、これと連なり一体的に形成され、上記電池の負極と接触する負極接片とからなる電池接触接片を、電子機器に一体に組み込み、その後、上記正極接片と上記負極接片との間を切断することを特徴とし、また、上記切断前に、上記電子機器に組み付けられている電気基板に、上記電池接触接片を接続することを特徴とし、さらに、上記切断前に、上記電子機器に組み付けられる電気基板に、上記電池接触接片を接続することを特徴とし、また、上記切断後に、上記電子機器に組み付けられている電気基板に、上記電池接触接片を接続することを特徴とし、さらに、上記切断後に、上記電子機器に組み付けられる電気基板に、上記電池接触接片を接続することを特徴とする。
【０００７】
また、本発明による電池接触接片の組立方法は、電池の一方の電極と接触する第１の電極接片と、これに連って一体的に形成され、上記電池とは異なる別の電池の一方の電極と接触する第２の電極接片とからなる電池接触接片を電子機器に一体に組み込み、その後、上記第１の電極接片と上記第２の電極接片との間を切断することを特徴とし、また、上記切断前に、上記電子機器に組み付けられている電気基板に、上記電池接触接片を接続することを特徴とし、さらに、上記切断前に、上記電子機器に組み付けられる電気基板に、上記電池接触接片を接続することを特徴とし、また、上記切断後に、上記電子機器に組み付けられている電気基板に、上記電池接触接片を接続することを特徴とし、さらに、上記切断後に、上記電子機器に組み付けられる電気基板に、上記電池接触接片を接続する。
【０００８】
【発明の実施の形態】
以下、図面を参照して本発明の実施の形態を説明する。
図１は、本発明の第１の実施形態における電池接触接片が電子機器としての外装部材を除くカメラの筐体内に組み付けられ、組立てられた状態を示す後方から観察した斜視図、図２は、図１の電池接触接片をカメラ筐体に組み付ける工程を示す分解斜視図、図３は、図２の電池接触接片をカメラ筐体に組み付けた状態を示す斜視図、図４は、カメラ筐体に組み付けた電池接触接片を切断する工程を示す分解斜視図である。
【０００９】
なお、本発明の組立方法によって電池接触接片を組み付ける電子機器は、本実施形態においては、カメラを例に挙げて説明するが、本発明の組立方法は電池収容室を有する電子機器であれば、どのような電子機器にも適用されることは云うまでもない。
【００１０】
先ず、本発明の組立方法に用いられる電池接触接片の構成を、図２によって説明すると、電池接触接片１は、１本の弾性線材を次のように折り曲げて形成される。即ち、下端部をクランク状に折り曲げ、一端７に係止端部を形成した後、水平に折り曲げられた正極用接片部３を形成し、しかる後、上方に立ち上げて電池の軸方向の長さより、やや長い正極用接片９を形成し、続いてコの字状に折り返した接片連結部４を形成した後、上端部を渦巻螺旋部に形成し、これを負極用接片部２としたものである。なお、リード部６と負極用接片部２とで負極用接片８を形成している。また、上記接片連結部４の両端垂直部は、電気基板に接続されるリード部５、６として用いられる。即ち、正極用接片９と、負極用接片８とは一体的に形成されている。
【００１１】
次に、この電池接触接片１が組み付けられる電子機器としてのカメラについて説明する。
図１は、カメラ本体をなすカメラ筐体１０を後方斜め上方から見た図であって、この筐体１０の前面には、被写体を撮像するための撮影光学系を有するレンズ鏡筒１３が配設されており、上面左側には、被写体にストロボ光を照射するためのストロボ発光部１２が配設されている。また、上面右側には、上面中央に配設されたボス軸１９（図２参照）に位置決め用孔１７を挿通してネジ１８を上記ボス軸１９のネジ穴に螺合することにより固定した例えばＤＣ−ＤＣコンバータ等の電気基板１４が配設されており、この電気基板１４の右側縁部には、上記電池接触接片１の負極用接片８の電気的接合部となる切欠き１５と半田ランド２４ｂ、正極用接片９の電気的接合部となる切欠き１６と半田ランド２４ａが前記カメラ筐体１０の厚味方向に沿って前後に設けられている。さらに、上記カメラ筐体１０の背面左側には、撮影モードや撮像された被写体像等を表示するためのＬＣＤ表示部１１が配設されている。
【００１２】
そして、図１、２に示すように上記カメラ筐体１０の右側端部には、カメラに駆動電力を供給するための電源電池を着脱自在に収納する電池収容室２０が設けられており、この電池収容室２０の開口部の天井壁には、上記電池接触接片１の負極用接片８のリード部６を挿通するための切欠き２１、正極用接片９のリード部５を挿通するための切欠き２２が前記カメラ筐体１０の厚味方向に沿って前後に設けられており、この切欠き２１、２２は、上記電気基板１４がカメラ筐体１０の上面に取り付けられたときには、同基板１４の上記切欠き１５、１６に対向するようになっている。さらに、この電池収容室２０の下面には、電池接触接片の正極用接片９を固定するための位置決め穴２３が穿設されている。
【００１３】
このように構成されたカメラ筐体１０に対して、上記電池接触接片１は、次のようにして組み付けられるようになっている。即ち、前記電池収容室２０の下面の前記位置決め穴２３には、電池接触接片１の正極用接片９の一端７が係止され、正極用接片部３が前記電池収容室２０の下面上に配置されると共に、上方に延び出した正極用接片９は、収容室２０のカメラ前方寄りの内壁に沿って配設され、その上部のリード部５が上記切欠き２２に挿通され、さらに前記電気基板１４の切欠き１６に係合し、これに前記半田ランド２４ａを介して半田付け等によって電気的に接合される。
【００１４】
また、電気基板１４上に延び出した接片連結部４は、図３に示すように、その他方のリード部６が電気基板１４の切欠き１５に係合されたのち、上記切欠き２１に挿通され、その渦巻き状の負極用接片部２が電池収容室２０の天井壁面に配設される。そして、前記電気基板１４の切欠き１５に係合したリード部６が前記半田ランド２４ｂに半田付け等によって電気的に接合される。
【００１５】
次に、このように前記カメラ筐体１０に組み付けられた前記正極用接片９、及び前記負極用接片８における負極用接片部２及び正極用接片部３の組立方法について説明する。
ここで上記正極用接片９、及び前記負極用接片８は、これらの前記リード部５、６が連結部４で互いに連結された電池接触接片１（図２参照）の状態で供給されるものである。
【００１６】
尚、前記電池接触接片１を構成する線材は、例えばＳＷＣ（硬鋼線）や、心材がバネ用高炭素鋼からなり、その表層に銅メッキを施したＣＰ線と称する線材で構成され、これらの線材を前述のように曲げ形成加工することによって上述の各部を構成する。
【００１７】
以下、上記正極用接片９、及び前記負極用接片８における負極用、正極用接片部２、３の組立方法の一例を説明する。
まず、前記カメラ筐体１０に、上記電気基板１４を前記上面中央に配設されたボス軸１９に前記電気基板１４に穿設された位置決め用孔１７を挿通してネジ１８をボス軸１９のネジ孔に螺合することにより組み付け固定する。
【００１８】
次に、上記電池接触接片１を前記電池収容室２０に上述したように一体に組み込み、その後、リード部５，６それぞれを前記電気基板１４の上記半田ランド２４ａ、２４ｂそれぞれに、例えば半田等により電気的に接続する（図３参照）。そして、図４に示すように、上記電池接触接片１の連結部４、即ち、上記正極用接片９と上記負極用接片８との間を例えばペンチ４０またはニッパ等で切断することにより、上記電池接触接片１は、上記正極用接片９と上記負極用接片８とに分離されたことになり、上記電池収容室２０には、電池５０を挿入した際、この電池５０の正極５１に接触する上記正極用接片部３と負極５２に接触する上記負極用接片部２がそれぞれ形成されると共に、この接片部２、３の、電気基板１４の所定の箇所への接続工程も同時に完了する。
【００１９】
このようにして、本発明の第１実施形態の組立方法によれば、電池接触接片１を前記電池収容室２０に対して少ない工程で組立てることができるため、電池収容室２０への組立性の向上を図ることができる。
【００２０】
また、上記第１実施形態の組立方法の変形例としては、
（１）　　上記電池接触接片１を上記カメラ筐体１０に組み付けた後、前記電気基板１４を上記カメラ筐体１０に組み付け固定して前記電池接触接片１のリード部５、６と電気的に接続させ、その後、上記電池接触接片１の連結部４を切断する。
【００２１】
以上の組立方法によれば、上記電池接触接片１の上記切断前に上記カメラ筐体１０（電子機器）に組み付けられている、若しくは組み付けられる上記電気基板１４に、上記電池接片１を半田により電気的接続することができる。また、上述までの組立実施形態における上記電池接触接片１の上記切断は、上記電気基板１４に対し半田付けされた後に行われるが、これとは反対に、上記カメラ筐体１０（電子機器）に組み付けられている上記電池接触接片１の上記切断後に上記カメラ筐体１０（電子機器）に組み付けられている、若しくは組み付けられる上記電気基板１４に、上記電池接触接片１を半田により電気的接続することにしても良い。この方法によれば、前者に比べ、半田部分に不必要な応力を与えることもなく電気的接続部分の電気的導通の信頼性を高めることができる。さらに、上記第１実施形態の組立方法の変形例として、
（２）　　上記電池接触接片１の連結部４を切断し、それぞれ前記正極用接片９、並びに前記負極用接片８を形成後、これを上記カメラ筐体１０に組み付け、しかる後、前記電気基板１４を上記カメラ筐体１０に組み付け固定して前記正極用接片９、並びに前記負極用接片８と電気的に接続させる。
【００２２】
（３）　　上記電池接触接片１の連結部４を切断し、それぞれ前記正極用接片９、並びに前記負極用接片８を形成後、前記電気基板１４を上記カメラ筐体１０に組み付け固定して、さらに前記正極用接片９、並びに前記負極用接片８を上記カメラ筐体１０に組み付けた後、前記電気基板１４と電気的に接続させる。
【００２３】
等があり、これら（１）乃至（３）のいずれの方法によっても上述した本発明の第１実施形態と同様の効果が得られる。
【００２４】
図５は、本発明の第２の実施形態における電池接触接片が電子機器としてのカメラ筐体内に組み付けられ、組立てられた状態を示す部分拡大斜視図、図６は、図５の電池接触接片をカメラ筐体に組み付ける工程を示す部分拡大分解斜視図、図７は、図６の電池収容室の下面側に配設される電池接触接片を示す部分拡大斜視図、図８は、図６の電池接触接片をカメラ筐体に組み付けた状態を示す部分拡大斜視図、図９は、図６のカメラ筐体に組み付けた電池接触接片を切断する工程を示す部分拡大斜視図、図１０は、図９の電池接触接片が組立てられたカメラ筐体の電池収容室に電池を２本挿入する工程を示す部分拡大分解斜視図である。
【００２５】
この第２実施形態の電池接触接片の組立方法は、前記図１乃至図４に示した第１実施形態と殆ど同じであり、電池を直列に２本挿入するために、正負極を一体に形成した電池接触接片を２個用いる点のみが異なる。よって、この相違点のみを説明し、第１実施形態と同様の構成部材には同じ符号を付し、その説明は省略する。
【００２６】
図５に示すように、カメラ筐体１０Ａの上面右側には、上述した本発明の第１実施形態と同様の取り付け手段により電気基板１４が固定されており、この電気基板１４の右側縁部には、後述する電池接触接片の負極用接片１０８の電気的接合部となる切欠き１６と半田ランド２４ａ、正極用接片１０９の電気的接合部となる切欠き１５と半田ランド２４ｂが前記カメラ筐体１０Ａの厚味方向に沿って前後に設けられている。
【００２７】
そして、上記カメラ筐体１０Ａの右側端部には、カメラに駆動電力を供給するための電源電池を着脱自在に収納する電池収容室６０が設けられており、この電池収容室６０の開口部の天井壁には、図６に示すように、電池接触接片１００の負極用接片１０８の渦巻状螺旋部の基部の嵌入溝６１と、リード部１０６を挿通するための切欠き６３、並びに正極用接片１０９のリード部１０５を固定するための切欠き６４が前記電池収容室６０の天井壁に設けらており、さらに、電池収容室６０の天井壁の後部側には、電池接触接片１００の正極用接片１０９を固定するための位置決め孔６２が穿設されている。
【００２８】
この前記位置決め孔６２には、電池接触接片１００の一端に形成された正極用接片１０９の係止部１０７が係合されるようになっている。この正極用接片１０９は、線材の一端部をまず、Ｌ字状に折り曲げて上記係止部１０７と水平部からなる正極用接片部１０３が形成され、続いて上方に向けてコの字状に折り曲げられた部分が上記切欠き６４に嵌合され、続いて上方に延び出した上記リード部１０５が前記電気基板１４の切欠き１５（図５参照）に係合し、これに前記半田ランド２４ｂを介して半田付け等によって電気的に接合される。
【００２９】
一方、前記嵌入溝６１には、電池接触接片１００の他端部に形成された負極用接片１０８の基部が嵌合される。この負極用接片１０８は、線状の他端部を、電池の負極と接触する渦巻き状の負極用接片部１０２とこの接片部１０２から上方に延び出したリード部１０６からなり、この負極用接片１０８のリード部１０６が前記カメラ筐体１０Ａの切欠き６３に係合し、さらに前記電気基板１４の切欠き１６に係合し、これに前記半田ランド２４ａを介して半田付け等によって電気的に接合される。また、上記リード部１０５と１０６は、コの字型の連結部１０４によって結合されている。
【００３０】
尚、前記正極用接片１０９、並びに負極用接片１０８は、一体に形成された電池接触接片１００の状態で供給されるものである（図６参照）。
【００３１】
前記電池収容室６０の底面には、後述する電池接触接片１２０の負極用接片１２８を固定するための嵌入溝６６が前記カメラ筐体１０Ａの厚味方向の後部側に設けられおり、また、この電池収容室６０の底面の前部側には、後述する電池接触接片１２０の正極用接片１２９を固定するための位置決め穴６５が穿設されている。
【００３２】
この位置決め穴６５には、図７に示す電池接触接片１２０の一端に形成された正極用接片１２９の係止部１２１が係合されるようになっている。この正極用接片１２９は、線材の一端部をＬ字状に折り曲げて形成された上記係止部１２１と水平部からなる正極用接片部１２３が形成される。そして、正極用接片部１２３は、前記電池収容室６０の下面に沿う位置に配設され、電池の正極と接触する。
【００３３】
一方、前記嵌入溝６６には、電池接触接片１２０の他端部に形成された負極用接片１２８の基部が嵌合される。この負極用接片１２８は、線材の他端部を、電池の負極と接触する渦巻き状に形成された負極用接片部１２２で形成される。
【００３４】
尚、前記正極用接片１２９、並びに負極用接片１２８は、一体に形成された電池接触接片１２０の状態で供給されるものである（図７参照）。
【００３５】
また、前記電池接触接片１００、並びに電池接触接片１２０は、上述した本発明の第１実施形態と同様に、例えばＳＷＣ（硬鋼線）や、心材がバネ用高炭素鋼からなり、その表層に銅メッキを施したＣＰ線と称する線材で構成され、この線材を曲げ加工することによって上述の各部を形成する。
【００３６】
以下、上記電池接触接片１００の上記正極用接片１０９、及び前記負極用接片１０８における負極用、正極用接片部１０２、１０３、並びに上記電池接触接片１２０の上記正極用接片１２９、及び前記負極用接片１２８における正極用、負極用接片部１２１、１２２の組立方法の一例を説明する。
【００３７】
まず、前記カメラ筐体１０Ａに、上記電池接触接片１２０を上述したように組み付ける。この組付けにより、上記電池収容室６０の下面には、図１０に示すように、一方の電池２００を挿入した際、この電池２００の正極２０２と接触する上記正極用接片部１２３を有する前記正極用接片１２９、並びに他方の電池２１０を挿入した際、この電池２１０の負極２１１と接触する上記負極用接片部１２２を有する前記負極用接片１２８が形成される。
【００３８】
次に、前記カメラ筐体１０Ａに、上述した本発明の第１実施形態と同様の手段で上記電気基板１４を組み付け固定する。
【００３９】
次いで、上記電池接触接片１００を前記電池収容室６０に上述したように組み付け、その後、リード部１０５、１０６を前記電気基板１４の上記半田ランド２４に例えば半田接続等により電気的に接続する（図８参照）。そして、図９に示すように、上記電池接触接片１００の連結部１０４を例えばペンチ４０やニッパ等で切断することにより、上記電池収容室６０の天井面には、図１０に示すように、一方の電池２００を挿入した際、この電池２００の負極２０１と接触する上記負極用接片部１０２と、他方の電池２１０を挿入した際、この電池２１０の正極２１２と接触する上記正極用接片部１０３とがそれぞれ形成される。また、この組立によって接片部１０２、１０３の電気基板１４の所定箇所への接続も同時に完了する。
【００４０】
このようにして、本発明の第２実施形態の組立方法によれば、電池接触接片１００、並びに１２０を前記電池収容室６０に対して少ない工程で組立てることができるため、電池収容室６０への組立性の向上を図ることができる。
【００４１】
また、上記第２実施形態の組立方法の変形例としては、
（４）　　上記電池接触接片１００を上記カメラ筐体１０Ａに組み付けた後、前記電気基板１４を上記カメラ筐体１０Ａに組み付け固定して前記電池接触接片１００のリード部１０５、１０６と電気的に接続させ、その後、上記電池接触接片１００の連結部１０４を切断する。
【００４２】
以上の組立方法によれば、上記電池接触接片１００の上記切断前に上記カメラ筐体１０Ａ（電子機器）に組み付けられている、若しくは組み付けられる上記電気基板１４に、上記電池接触接片１を半田により電気的接続することができる。また、上述までの組立実施形態における上記電池接触接片１００の上記切断は、上記電気基板１４に対し半田付けされた後に行われるが、これとは反対に、上記カメラ筐体１０Ａ（電子機器）に組み付けられている上記電池接触接片１００の上記切断後に上記カメラ筐体１０Ａ（電子機器）に組み付けられている、若しくは組み付けられる上記電気基板１４に、上記電池接触接片１００を半田により電気的接続することにしても良い。この方法によれば、前者に比べ、半田部分に不必要な応力を与えることもなく電気的接続部分の電気的導通の信頼性を高めることができる。さらに、上記第２実施形態の組立方法の変形例として、
（５）　　上記電池接触接片１００の連結部１０４を切断し、それぞれ前記正極用接片１０９、並びに前記負極用接片１０８を形成後、これを上記カメラ筐体１０Ａに組み付け、しかる後、前記電気基板１４を上記カメラ筐体１０Ａに組み付け固定して、前記正極用接片１０９、並びに前記負極用接片１０８と電気的に接続させる。
【００４３】
（６）　　上記電池接触接片１００の連結部１０４を切断し、それぞれ前記正極用接片１０９、並びに前記負極用接片１０８を形成後、前記電気基板１４を上記カメラ筐体１０Ａに組み付け固定して、さらに前記正極用接片１０９、並びに前記負極用接片１０８を上記カメラ筐体１０Ａに組み付けた後、前記電気基板１４と電気的に接続させる。
【００４４】
等があり、これらの変形例（４）乃至（６）のいずれの方法によっても上述した本発明の第２実施形態と同様の効果が得られる。
【００４５】
また、上述した本発明の第２実施形態においては、電池収容室に挿入する電池を２個としたため、正負両極を一体化した電池接触接片は２本使用するが、これに限らず、３個、４個、５個と電池の個数を増やしても３本、４本、５本・・・と電池の数だけ電池接触接片の本数を増やせば同様の効果が得られることは勿論である。
【００４６】
【発明の効果】
以上説明したように本発明によれば、電池接触接片の生産効率、及び保管管理効率を高め、かつ電池収容室への組立性の向上を図ることができる電池接触接片の組立方法を提供できる。
【図面の簡単な説明】
【図１】本発明の第１の実施形態の組立方法によって電池接触接片が外装部材が施されていないカメラ筐体に組立てられた状態を示した後方からの斜視図、
【図２】電池接触接片をカメラ筐体に組み付ける工程を示す分解斜視図、
【図３】図２の電池接触接片をカメラ筐体に組み付けた状態を示す斜視図、
【図４】カメラ筐体に組み付けた電池接触接片を切断する工程を示す分解斜視図、
【図５】本発明の第２の実施形態の組立方法によって電池接触接片が外装部材が施されていないカメラ筐体に組立てられた状態を示した後方からの部分拡大斜視図、
【図６】電池接触接片をカメラ筐体に組み付ける工程を示す部分拡大分解斜視図、
【図７】電池収容室の下面側に配設される電池接触接片を示す拡大斜視図、
【図８】電池接触接片を電池収容室の天井壁に組み付けた状態を示す部分拡大斜視図、
【図９】図８の電池接触接片を切断する工程を示す部分拡大斜視図、
【図１０】電池接触接片が組立てられた電池収容室に２本の電池を挿入する状態を示す部分拡大斜視図。
【符号の説明】
１、　　　１００、１２０…電池接触接片
１０、１０Ａ…電子機器（カメラ筐体）
１４…電気基板
８…負極接片
９…正極接片
１０８、１２８…負極接片（第１、第２の電極接片）
１０９、１２９…正極接片（第１、第２の電極接片）
５０、２０１、２１０…電池
【図１】
2004071236.tif 000003
【図２】
2004071236.tif 000004
【図３】
2004071236.tif 000005
【図４】
2004071236.tif 000006
【図５】
2004071236.tif 000007
【図６】
2004071236.tif 000008
【図７】
2004071236.tif 000009
【図８】
2004071236.tif 000010
【図９】
2004071236.tif 000011
【図１０】
2004071236.tif 000012